(57)【要約】  【解決手段】  圧迫療法装置によって治療される身体部位の寸法を測定するための方法が開示される。身体部位の体積または周長のいずれかを測定する場合がある。この方法は、膨張可能な圧迫スリーブを既知の圧力まで排出する工程と、前記身体部位を圧迫スリーブ内に挿入する工程と、前記スリーブを予め設定した条件まで膨張させる工程と、１若しくはそれ以上の膨張に関連するパラメーターを測定する工程とを含む。予め設定した条件は、前記スリーブを構成する膨張可能なセルの予め決定された圧力、体積、または寸法を含む。前記膨張に関連するパラメーターは、前記セルを予め設定した圧力まで充填する時間、予め設定した膨張の時間の後に到達する圧力、または予め設定した量の空気がセルの中に導入された後に測定したセルの体積を含む。前記方法は、前記セルを既知の膨張状態から第２の膨張状態に収縮し、類似パラメーターを測定することも含む。  【選択図】      図４
2015528335.tif 000002
【特許請求の範囲】
【請求項１】
身体部位の少なくとも一部の体積を測定する方法であって、
圧迫療法装置を提供する工程であって、この圧迫療法装置は、
少なくとも１つの圧迫セルを有する膨張可能な圧迫スリーブと、
前記圧迫スリーブを膨張させる流体源と、
前記圧迫スリーブの前記膨張を制御する制御部であって、前記圧迫スリーブに関連付けられた少なくとも１つのセンサーと、複数の測定データを格納する少なくとも１つのメモリー格納装置と、少なくとも１つの通信装置と、少なくとも１つのユーザー入力インタフェース装置と、少なくとも１つのユーザー出力インタフェース装置とを有するものである、前記制御部と
を有するものである、前記圧迫療法装置を提供する工程と、
前記制御部によって、前記少なくとも１つのセンサーによって測定された少なくとも１つの圧迫セルパラメーターが少なくとも１つの開始圧迫セルパラメーター値に到達するまで、前記少なくとも１つの圧迫セルから前記流体を排出する工程と、
患者の身体部位を前記圧迫スリーブ内に導入する工程と、
前記制御部によって、少なくとも１つの制御部パラメーターが第１の予め設定した制御部パラメーター値に到達するまで、前記流体を用いて前記少なくとも１つの圧迫セルを膨張する工程と、
前記制御部によって、少なくとも１つの第１の圧迫セルパラメーター値を測定する工程と、
前記制御部によって、前記少なくとも１つの第１の圧迫セルパラメーター値に少なくとも部分的に基づいて、前記患者身体部位の少なくとも一部の体積を計算する工程と
を有する方法。
【請求項２】
請求項１記載の方法において、前記少なくとも１つのセンサーは、前記少なくとも１つの圧迫セルと機能的に関連するものである方法。
【請求項３】
請求項１記載の方法において、前記少なくとも１つのセンサーは、前記少なくとも１つの圧迫セルの中の圧力に関するセンサー、前記少なくとも１つの圧迫セル内へ流入、または当該セルから流出する流体流量に関するセンサー、前記少なくとも１つの圧迫セルの表面の変形に関するセンサーのうちの１若しくはそれ以上を有するものである方法。
【請求項４】
請求項１記載の方法において、前記少なくとも１つの圧迫セルパラメーターは、前記少なくとも１つの圧迫セルの中の圧力、前記少なくとも１つの圧迫セルの体積、および前記少なくとも１つの圧迫セルの表面変形の測定値のうちの１若しくはそれ以上を有するものである方法。
【請求項５】
請求項１記載の方法において、前記膨張可能な圧迫スリーブは、少なくとも第１の圧迫セルと、第２の圧迫セルとを有するものである方法。
【請求項６】
請求項５記載の方法において、第１の開始圧迫セルパラメーター値は、前記第１の圧迫セルに関連付けられ、かつ第２の開始圧迫セルパラメーター値は、前記第２の圧迫セルに関連付けられるものである方法。
【請求項７】
請求項６記載の方法において、前記第１の開始圧迫セルパラメーター値は、前記第２の開始圧迫セルパラメーター値とは異なるものである方法。
【請求項８】
請求項１記載の方法において、前記患者の身体部位は、指、手、手首、前腕部、上腕部、肩部、胸部、腹部、鼠径部、股関節部、臀部、大腿部、下腿部、ふくらはぎ、足首、足、および足指のうちの１若しくはそれ以上を有するものである方法。
【請求項９】
請求項１記載の方法において、前記制御部パラメーターは、少なくとも１つの圧迫セルの膨張時間、少なくとも１つの圧迫セルの膨張速度、少なくとも１つの圧迫セルの収縮時間、少なくとも１つの圧迫セルの収縮速度、少なくとも１つの圧迫セルの排出時間、少なくとも１つの圧迫セルの排出速度、少なくとも１つの圧迫セルの圧力、少なくとも１つの圧迫セルの膨張体積と、および少なくとも１つの圧迫セルの表面変形のうちの１若しくはそれ以上を有するものである方法。
【請求項１０】
請求項１記載の方法において、前記少なくとも１つの第１の圧迫セルパラメーター値は、前記少なくとも１つの圧迫セル内の圧力、前記少なくとも１つの圧迫セルの体積、および前記少なくとも１つの圧迫セルの変形に関する測定値のうちの１若しくはそれ以上を有するものである方法。
【請求項１１】
請求項１記載の方法において、さらに、
前記患者の身体部位の前記圧迫スリーブ内への導入を確認する工程を有するものである方法。
【請求項１２】
請求項１記載の方法において、前記少なくとも１つの開始圧迫セルパラメーター値は、前記制御部メモリー格納装置に格納されるものである方法。
【請求項１３】
請求項１記載の方法において、前記少なくとも１つの開始圧迫セルパラメーター値は、前記少なくとも１つのユーザー入力インタフェース装置を介して前記制御部に送信されるものである方法。
【請求項１４】
請求項１記載の方法において、前記少なくとも１つの開始圧迫セルパラメーター値は、少なくとも１つの通信装置を介して前記制御部に送信されるものである方法。
【請求項１５】
請求項１記載の方法において、前記少なくとも１つの第１の予め設定した制御部パラメーター値は、前記制御部メモリー格納装置に格納されるものである方法。
【請求項１６】
請求項１記載の方法において、前記少なくとも１つの第１の予め設定した制御部パラメーター値は、前記少なくとも１つのユーザー入力インタフェース装置を介して前記制御部に送信されるものである方法。
【請求項１７】
請求項１記載の方法において、前記少なくとも１つの第１の予め設定した制御部パラメーター値は、少なくとも１つの通信装置を介して前記制御部に送信されるものである方法。
【請求項１８】
請求項１記載の方法において、前記患者の身体部位の少なくとも一部の体積を計算する工程は、
前記制御部によって、複数のルックアップ値を有するパラメーター値のルックアップテーブルを提供する工程と、
前記制御部によって、前記少なくとも１つの第１の圧迫セルパラメーター値を前記複数のルックアップ値のうちの１若しくはそれ以上と比較する工程と
を有するものである方法。
【請求項１９】
請求項１８記載の方法において、さらに、
前記少なくとも１つの第１の圧迫セルパラメーター値を前記複数のルックアップ値のうちの任意の２つの間に内挿する工程を有する方法。
【請求項２０】
請求項１記載の方法において、さらに、
前記少なくとも１つの圧迫セルを前記少なくとも１つの制御部パラメーターが第２の予め設定した制御部パラメーター値に到達するまで収縮する工程と、
少なくとも１つの第２の圧迫セルパラメーター値を測定する工程と
を有する方法。
【請求項２１】
身体部位の体積を測定する方法であって、
圧迫療法装置を提供する工程であって、この圧迫療法装置は、
複数の圧迫セルを有する膨張可能な圧迫スリーブと、
前記複数の圧迫セルを膨張させる流体源と、
前記複数の圧迫セルの前記膨張を制御するための制御部であって、前記圧迫スリーブに関連付けられた少なくとも１つのセンサーと、複数の測定データを格納する少なくとも１つのメモリー格納装置と、少なくとも１つの通信装置と、少なくとも１つのユーザー入力インタフェース装置と、少なくとも１つのユーザー出力インタフェース装置とを有するものである、前記制御部と
を有するものである、前記圧迫療法装置を提供する工程と、
前記制御部によって、前記少なくとも１つのセンサーを使用して、前記複数の圧迫セルのそれぞれに関連付けられた圧迫セルパラメーターを測定する工程と、
前記制御部によって、前記複数の圧迫セルのそれぞれに関連付けられた前記圧迫セルパラメーターが、複数の開始圧迫セルパラメーター値のうちの少なくとも１つに到達するまで、前記複数の圧迫セルのそれぞれから前記流体を排出する工程と、
患者の身体部位を前記圧迫スリーブ内に導入する工程と、
前記制御部によって、少なくとも１つの制御部パラメーターが複数の第１の予め設定した制御部測定値のうちの少なくとも１つに到達するまで、前記流体を用いて前記複数の圧迫セルのそれぞれを膨張する工程と、
前記制御部によって、前記複数の圧迫セルのそれぞれについて圧迫セルパラメーター値を測定する工程と、
前記制御部によって、前記複数の圧迫セルのそれぞれの前記圧迫セルパラメーター値に少なくとも部分的に基づいて、前記患者の身体部位の体積を計算する工程と
を有する方法。
【請求項２２】
少なくとも一部の身体部位の周長を測定する方法であって、
圧迫療法装置を提供する工程であって、この圧迫療法装置は、
少なくとも１つの圧迫セルを有する膨張可能な圧迫スリーブと、
前記圧迫スリーブを膨張させる流体源と、
前記圧迫スリーブの前記膨張を制御する制御部であって、前記圧迫スリーブに関連付けられた少なくとも１つのセンサーと、複数の測定データを格納するための少なくとも１つのメモリー格納装置と、少なくとも１つの通信装置と、少なくとも１つのユーザー入力インタフェース装置と、少なくとも１つのユーザー出力インタフェース装置とを有するものである、前記制御部と
を有するものである、前記圧迫療法装置を提供する工程と、
前記制御部によって、前記少なくとも１つのセンサーによって測定された少なくとも１つの圧迫セルパラメーターが少なくとも１つの開始圧迫セルパラメーター値に到達するまで、前記少なくとも１つの圧迫セルから前記流体を排出する工程と、
患者の身体部位を前記圧迫スリーブ内に導入する工程と、
前記制御部によって、少なくとも１つの制御部パラメーターが第１の予め設定した制御部測定値に到達するまで、前記流体を用いて前記少なくとも１つの圧迫セルを膨張する工程と、
前記制御部によって、少なくとも１つの第１の圧迫セルパラメーター値を測定する工程と、
前記制御部によって、前記少なくとも１つの圧迫セルパラメーター値に少なくとも部分的に基づいて、前記患者の少なくとも一部の身体部位の周長を計算する工程と
を有する方法。
【発明の詳細な説明】
【技術分野】
【０００１】
関連出願の相互参照
本出願は、２０１２年８月１８日付けで出願された米国仮特許出願番号第６１／６８４，７２０号の利益を請求し、その開示はその全体が参照により本明細書に組み込まれる。
【背景技術】
【０００２】
静脈不全、リンパ水腫、およびその他の浮腫状態などの疾病は、心臓から遠位の体の領域にしばしば体液の溜りをもたらす可能性がある。静脈不全は、四肢の表面静脈が、下腿部の深部静脈へと排出する結果として生じる可能性がある。通常、ふくらはぎの筋肉の収縮は、ポンプとして作用し、流出血管である、膝窩静脈内へと血液を動かす。このポンプとしての作用の欠陥は、筋肉の衰弱、全体的な腔寸法の減少、弁の機能不全、および／または流出障害の結果として、生じる可能性がある。これらの状態のそれぞれは、影響を受けている領域の静脈うっ血および高血圧につながる可能性がある。リンパ通路の閉塞に起因する腫脹である、リンパ水腫は、リンパ閉鎖症、身体全体の組織から流体を排出するリンパ管の遮断によって生じる場合がある。これは、最も一般的には、ガン手術、一般的な手術、腫瘍、放射線治療、外傷、および先天異常に起因する。リンパ水腫は、現在のところ治癒できない慢性的な症状である。
【０００３】
流体の蓄積は、治療しない場合、痛みを伴い、かつ衰弱させる可能性がある。流体の蓄積は、治療しないまま放置した場合、酸素の輸送を減少し、創傷治癒を妨害し、感染を支援する媒体を提供し、または結果的に四肢を失う可能性さえある。
【０００４】
圧迫療法装置は、蓄積した体液を移動することによって、しばしば静脈不全の治療に使用される。さらなる状態は、圧迫療法装置の使用からも利益を得る場合がある。かかる装置は、典型的にはチューブを通して、問題領域（四肢または胴体など）の上に適合する、多数の別個に膨張可能なセルを収容するスリーブまたはブーツなどの器具に空気を吹き込む場合がある空気圧縮器を含む。かかる装置は、セルを膨張し、かつ排気するように構成された空気式の構成要素、および空気式の構成要素を制御する制御回路機構も含む場合がある。療法的サイクル、または療法的プロトコルは、例えば、すべてのセルが協調して、遠位から近位への順序で、予め設定した圧力へのセルの連続的な膨張、続いて排気を伴う場合がある。
【発明の概要】
【発明が解決しようとする課題】
【０００５】
る。四肢の治療のための圧迫スリーブ装置は、例えば、適切な寸法に設定されている場
効果的な圧迫療法は、適切な設備および適切な療法的プロトコルの使用に依存す合、罹患した四肢に所定の治療上有効量の圧力を提供することができる。スリーブが小さすぎると、患者が着用するためにはきつすぎ、不快である場合がある。一方で、スリーブが大きすぎると、患者の四肢に対して十分な圧力を与えることができない場合がある。したがって、患者のためにスリーブの正しい寸法を決定する手段を有することは有用である。  
【課題を解決するための手段】
【０００６】
本方法、システム、および材料について記載する前に、本開示は、記載される特定の方法論、システム、および材料に限定されず、これらは異なる場合があることを理解されたい。記述で使用される専門用語は、特定の変形または実施形態を説明する目的のみのものであり、範囲を限定することを意図しないことも理解されたい。
【０００７】
本明細書および添付の特許請求の範囲で使用する場合、文脈がこれに反すると明確に既定しない限り、単数形の「ａ（１つの）」、「ａｎ（１つの）」、「ｔｈｅ（その）」は、複数の言及も含むことに留意する必要がある。したがって、例えば、１つの「バルブ」の参照は、１若しくはそれ以上のバルブの参照であり、その均等物であること、等々が、当業者には公知である。これに反すると定義されない限り、本明細書で使用されるすべての技術的および科学的用語は、当業者によって一般的に理解されるのと同一の意味を有する。実施形態の実施または試験に、本明細書に記載されるものと類似のまたは同等の任意の方法、材料、および装置を使用することができるが、ここに好ましい方法、材料、および装置を記載する。本明細書に述べられているすべての出版物は、この参照により組み込まれる。本明細書中のいかなるものも、本明細書に記載される実施形態が、先行発明のせいでかかる開示を前日付にする権利を有しないという承認であるとは解釈されない。
【０００８】
一実施形態では、身体部位の少なくとも一部の体積を測定する方法は、圧迫療法装置を提供する工程であって、この圧迫療法装置は、少なくとも１つの圧迫セルを有する膨張可能な圧迫スリーブと、前記圧迫スリーブを膨張させる流体源と、圧迫スリーブの膨張を制御する制御部であって、前記圧迫スリーブに関連付けられた少なくとも１つのセンサーと、測定データを格納する少なくとも１つのメモリー格納装置と、少なくとも１つの通信装置と、少なくとも１つのユーザー入力インタフェース装置と、少なくとも１つのユーザー出力インタフェース装置とを含むものである、前記制御部とを有するものである、前記圧迫療法装置を提供する工程と、前記制御部によって、前記１若しくはそれ以上のセンサーによって測定された少なくとも１つの圧迫セルパラメーターが少なくとも１つの開始圧迫セルパラメーター値に到達するまで、前記少なくとも１つの圧迫セルから流体を排出する工程と、患者の身体部位を圧迫スリーブ内に導入する工程と、前記制御部によって、少なくとも１つの制御部パラメーターが第１の予め設定した制御部パラメーター値に到達するまで、前記流体を用いて前記少なくとも１つの圧迫セルを膨張する工程と、前記制御部によって、少なくとも１つの第１の圧迫セルパラメーター値を測定する工程と、前記制御部によって、少なくとも部分的に第１の圧迫セルパラメーター値に基づいて、前記患者の身体部位の少なくとも一部の体積を計算する工程とを含む。
【０００９】
一実施形態では、身体部位の少なくとも一部の体積を測定する方法は、圧迫療法装置を提供する工程であって、この圧迫療法装置は、複数の圧迫セルを有する膨張可能な圧迫スリーブと、複数の圧迫セルを膨張するための流体源と、複数の圧迫セルの膨張を制御する制御部であって、前記圧迫スリーブに関連付けられた少なくとも１つのセンサーと、測定データを格納する少なくとも１つのメモリー格納装置と、少なくとも１つの通信装置と、少なくとも１つのユーザー入力インタフェース装置と、少なくとも１つのユーザー出力インタフェース装置とを含むものである、前記制御部とを有するものである、前記圧迫療法装置を提供する工程と、前記制御部によって、少なくとも１つのセンサーを使用して、前記複数の圧迫セルのそれぞれに関連付けられた圧迫セルパラメーターを測定する工程と、前記制御部によって、前記センサーによって測定された複数の圧迫セルのそれぞれに関連付けられたセルパラメーターが、前記複数の圧迫セルのそれぞれ１つについて開始圧迫セルパラメーター値に到達するまで、前記複数の圧迫セルから流体を排出する工程と、患者の身体部位を圧迫スリーブの中に導入する工程と、前記制御部によって、少なくとも１つの制御部パラメーターが複数の第１の予め設定した制御部測定値のうちの少なくとも１つに到達するまで、流体を用いて前記複数の圧迫セルのそれぞれを膨張する工程と、前記制御部によって、前記複数の圧迫セルのそれぞれについて第１の圧迫セルパラメーター値を測定する工程と、前記制御部によって、前記複数の圧迫セルのそれぞれのセルパラメーター値に少なくとも部分的に基づいて、前記患者の身体部位の少なくとも一部の体積を計算する工程とを含む。
【００１０】
一実施形態では、少なくとも一部の身体部位の周長を測定する方法は、圧迫療法装置を提供する工程であって、この圧迫療法装置は、少なくとも１つの圧迫セルを有する膨張可能な圧迫スリーブと、圧迫スリーブを膨張させる流体源と、前記圧迫スリーブの膨張を制御する制御部であって、圧迫スリーブに関連付けられた少なくとも１つのセンサーと、測定データを格納する少なくとも１つのメモリー格納装置と、少なくとも１つの通信装置と、少なくとも１つのユーザー入力インタフェース装置と、少なくとも１つのユーザー出力インタフェース装置とを含むものである、前記制御部とを有するものである、前記圧迫療法装置を提供する工程と、前記制御部によって、１若しくはそれ以上のセンサーによって測定された少なくとも１つの圧迫セルパラメーターが、少なくとも１つの開始圧迫セルパラメーター値に到達するまで、前記少なくとも１つの圧迫セルから流体を排出する工程と、患者の身体部位を圧迫スリーブの中に導入する工程と、前記制御部によって、少なくとも１つの制御部パラメーターが第１の予め設定した制御部パラメーター値に到達するまで、前記流体を用いて前記少なくとも１つの圧迫セルを膨張する工程と、前記制御部によって、少なくとも１つの第１の圧迫セルパラメーター値を測定する工程と、前記制御部によって、前記第１の圧迫セルパラメーター値に少なくとも部分的に基づいて、前記患者の少なくとも一部の身体部位の周長を計算する工程とを含む。
【図面の簡単な説明】
【００１１】
本明細書に記載される実施形態の態様、特徴、利益、および利点は、以下の記述、添付の特許請求の範囲、および添付の図面を参照して明らかになるであろう。
【図１ａ】図１ａは、実施形態による、図示的な空気式の圧迫療法システムを示すものである。
【図１ｂ】図１ｂは、実施形態による、図示的な空気式の圧迫療法システムを示すものである。
【図２】図２は、いくつかの実施形態による、圧迫セルを有する図示的な圧迫療法システムスリーブを示すものである。
【図３】図３は、一実施形態による、プログラム命令を収容または実施するために使用されてもよいハードウエアを図示するブロック図を示すものである。
【図４】図４は、一実施形態による、圧迫療法処置の部分として身体部位の寸法を決定するための方法を図示するフローチャートを示すものである。
【発明を実施するための形態】
【００１２】
本開示の目的では、「圧迫スリーブ」という用語は、病状を緩和するように少なくともいくらかの圧縮力を患者の一部の組織に送達するために使用される、１若しくはそれ以上の個別に膨張可能なチャンバーまたはセルを含む膨張可能な器具として定義される。これらのチャンバーは、圧迫セルとも記載される場合がある。スリーブは、胸部などの１つの身体部位、または足、足首、ふくらはぎ（下腿部）、および／または大腿部（太もも）の組合せなどの２つ以上の不連続なまたは連続する身体部位を包囲する場合がある。圧迫スリーブの他の非限定的な例は、前腕部、上腕部、手首、手、手／手首／前腕部／上腕部の組合せ、胸部、単一の肩部、背中、肩部／胸部／背中の組合せ、肩部／胸部／背中／上腕部の組合せ、腹部、臀部、および生殖器を治療する器具を含む場合がある。患者は、一度に２つ以上の圧迫スリーブを着用してもよい。
【００１３】
本開示の目的では、「圧迫セルパラメーター」という用語は、少なくとも１つの圧迫セルの物理的特性に関連付けられたパラメーターとして定義される。かかる物理的特性は、非限定的に、圧迫セルの形状または寸法、セルの物理的本体を画定する膜または他の構造体上の歪み、セル内の圧力、セル内に収容される容積、およびセルの直径または周長を含む場合がある。
【００１４】
本開示の目的では、「圧迫セルパラメーター値」という用語は、圧迫セルパラメーターの測定値として定義される。測定は、１若しくはそれ以上のセンサーのみによって、または電子装置と協働してなされてもよい。したがって、圧迫セルパラメーター値は、非限定的に、体積、圧力、表面積、および／または圧迫セル本体の歪み測定値を含んでもよい。
【００１５】
本開示の目的では、「制御部パラメーター」という用語は、制御部またはスリーブの機能性の少なくとも１つの態様を定義する因子として定義される。制御部パラメーターは、非限定的に、圧迫セル膨張時間、圧迫セル膨張速度、圧迫セル収縮時間、圧迫セル収縮速度、圧迫セル排出時間、圧迫セル排出速度、圧迫セル圧力、圧迫セル膨張体積、および／または圧迫セル表面変形を含む。
【００１６】
本開示の目的では、「制御部パラメーター値」という用語は、制御部によって決定される、制御部パラメーター値として定義される。
【００１７】
本開示の目的では、「身体部位」という用語は、圧迫療法が適用される、ヒトまたは動物の身体の１若しくはそれ以上の連続的なまたは非連続的な部位として定義される。１つの非限定的な例として、身体部位は、手、手首、前腕部、上腕部、および肩部の組合せを含んでもよい。
【００１８】
本明細書に開示される装置、システム、方法、実例、および例は、ヒトの患者に関係する用途に主として注目する場合があるが、装置、システム、方法、実例、および例は、獣医的な目的で圧迫療法の適用が役立つ場合があるヒト以外の動物にも等しく適用されてもよい。
【００１９】
上記に開示されるように、圧迫療法を受ける身体部位の寸法を知ることは、療法的な成功のためには重要である。この文脈では、身体部位の寸法は、非限定的に、周長、表面積、および／または体積を含む場合がある。寸法の測定値は、絶対的な値であってもよく、または別の寸法の測定値と比較した値であってもよい。一実施形態では、寸法測定値は、患者の影響を受けていない身体部位（反対側の脚などの）と比較される場合がある。別の実施形態では、寸法測定値は、ある程度の数の他の患者から得られる平均値と比較される場合がある。さらに別の実施形態では、寸法測定値は、療法プロセスのある時間だけ前の、患者の身体部位の寸法と比較される場合がある。なお別の実施形態では、寸法測定値は、コンピューターモデルと比較される場合がある。
【００２０】
圧迫スリーブ寸法の選択は、患者の身体部位の絶対的な測定値の使用の一例である場合がある。身体部位に対して圧迫スリーブが小さすぎる場合、患者はスリーブを使用するのが困難であることに気付く場合があり、したがって、療法に従うのがいやになることになる。一方で、身体部位に対して大きすぎるスリーブは、身体部位に対して十分な圧力を提供しない場合があり、したがって結果的に療法の効果的がない可能性がある。したがって、医療供給者は、適切な寸法の圧迫スリーブを選ぶために、圧迫療法の開始前に患者の身体部位を測定する場合がある。さらに、患者が療法を継続するとともに、身体部位に存在する浮腫の量が、適切な療法を継続するためにはより小さいスリーブが必要になる場合がある程度まで減少する場合がある。
【００２１】
医療従事者は、患者の療法の経過を観察する上で、比較寸法測定値にたよる可能性がある。療法に従う身体部位寸法の減少は、圧迫療法が効果的であることを示すことができる。医療供給者は、この結果に留意し、プロトコルの維持を推奨することができる。一方で、身体部位が療法に従う寸法変化を示さない場合、医療供給者は、異なる療法プロトコルが必要である場合があると判断する場合がある。加えて、医療従事者に対して、保険供給者は、身体部位寸法の変化の書類化も望む場合がある。保険供給者は、患者のために圧迫療法装置のレンタル費用を支払う場合があるので、保険供給者は、療法が効果的であることの書類化した証拠を有することを望む場合がある。
【００２２】
患者の身体部位を、任意のいくつかの方法によって測定する場合がある。巻尺を身体部位のいくつかの点において、または身体部位の周囲に適用する場合があり、関連する値を記録する場合がある。この方法の短所は、医療従事者が、身体部位の同じ部分に、または同じ様式で巻尺を一貫して適用できない場合があることである。身体部位の表面を、レーザーを使用してまたは複数写真若しくは他の光学的画像を使用して光学的に測定する場合がある。かかる測定は、特殊な機器に頼る場合があるが、こうした機器は療供
給者または患者に対して容易に利用可能ではない場合がある。
【００２３】
さらに別の例では、身体部位を、圧迫スリーブを使用して測定する場合がある。非限定的な例として、周囲の圧迫セルに対して、セルによって取り囲まれた身体部位は、セルの拡張空間内にある身体部位の体積に起因して、セルの膨張の量を低減する場合がある。一測定例として、拡張セルの体積は、挿入された身体部位によってなされる場合がある。しかしながら、身体部位もセルもどちらも圧縮可能であり、かつ変形可能なので、挿入された身体部位を有するセル体積の単純な測定は、正確でない場合がある。代替的な測定は、身体部位の挿入のない拡張セルの体積を、身体部位をその中に挿入した拡張セルの体積と比較することによってなされる場合がある。しかしながら、拡張セルの初期状態（すなわち、身体部位のない）が、１つの測定と次に行った測定とで一貫していない場合、身体部位の寸法について一貫した値を得るのは困難な場合がある。したがって、圧迫セル膨張パラメーターを使用する身体部位の寸法を測定するための方法は、圧迫セルの標準化された初期状態を使用することによって改善する場合があることが示される。
【００２４】
図１ａおよび図１ｂは、空気式の圧迫装置の実施形態を示す。図１ａに示すように、空気式の圧迫装置は、圧迫ポンプ１０５、充填バルブ１２０、真空源１１０、排気バルブ１３０、トランスデューサー１１５、制御部１４５、および１２５ａ〜Ｎなどの複数のセルバルブを含む場合がある。圧迫ポンプ１０５は、加圧された流体（非限定的に、空気、窒素、または水を含む）を提供するために使用される。充填バルブ１２０は、加圧流体を受容するように圧迫ポンプ１０５と流体接続してもよい。膨張期間の間、充填バルブ１２０は、圧迫ポンプ１０５の出口に、そして共通ノードまたはマニホールド１４０に接続するように開いてもよい。収縮期間の間、排気バルブ１３０は、共通マニホールド１４０に、そして例えば、セルを減圧するための真空源１１０に、接続するように開いてもよい。代替的には、排気バルブ１３０は、大気１３５に接続されてもよい。典型的には、充填バルブ１２０および排気バルブ１３０は、同時には開かない。しかしながら、圧迫装置のいくつかの使用のモードでは、充填バルブ１２０と排気バルブ１３０とが一緒に開くことが役立つ場合がある。図１ａは、真空源１１０または大気１３５のいずれかに接続する能力のある単一の排気バルブ１３０を図示するが、１つの排気バルブはマニホールド１４０を真空源１１０に接続するために使用されてもよく、一方で、第２の排気バルブはマニホールド１４０を大気１３５に接続するために使用されてもよいことが理解される場合がある。充填バルブ１２０および排気バルブ１３０は、手動で操作されてもよく、または制御部１４５によって自動で操作されてもよい。代替的な実施形態では、制御部１４５は、１若しくはそれ以上の局所装置または遠隔装置への１若しくはそれ以上の通信リンクをさらに含んでもよい。１つの非限定的な例として、かかる通信リンクは、医師または療法士が、空気式の圧迫装置を指示、制御、またはモニターできるようにする場合がある。追加的な充填および／または排気バルブがマニホールド１４０と関連付けられる場合がある。セルバルブ１２５ａ〜Ｎのそれぞれは、第１の側の共通マニホールド１４０および第２の側の対応するセルに接続される場合がある。それぞれのセルバルブ１２５ａ〜Ｎは、対応するセルを共通マニホールド１４０に選択的に接続（開構成）または切断（閉構成）するために使用される場合がある。セルバルブ１２５ａ〜Ｎは、制御部１４５によって手動で操作されてもよく、または自動で操作されてもよい。
【００２５】
トランスデューサー１１５は、共通マニホールド１４０の圧力をモニターするために接続され、かつ使用される。制御部１４５は、トランスデューサー１１５によって検知された圧力に関する情報を受信する。少なくとも受信した圧力情報に基づいて、制御部１４５は、充填バルブ１２０、排気バルブ１３０、および／またはセルバルブ１２５ａ〜Ｎのうちの１若しくはそれ以上を開くかまたは閉じるかを決定してもよい。
【００２６】
図１ａに図示する実施形態では、トランスデューサー１１５は、これに関連付けられた伝達関数（ｔｒａｎｓｆｅｒ  ｆｕｎｃｔｉｏｎ）を有する場合があり、共通マニホールド１４０においてモニターされる入力圧力を決定するために使用される。
【００２７】
追加的な実施形態が、図１ｂに図示される。この実施形態では、充填マニホールド１４１は、充填バルブ１２０および圧迫ポンプ１０５と関連付けられる。別個の排気マニホールド１４２は、真空源１１０および排気バルブ１３０と関連付けられる。セルバルブ１２５ａ〜Ｎは、充填マニホールド１４１と排気マニホールド１４２の両方と関連付けられる。この実施形態では、セルバルブ１２５ａ〜Ｎは、３方機能、すなわち充填用に開、排気用に開、および閉、を有してもよいことが理解される。代替的な実施形態では、それぞれのセルは、充填マニホールド１４１に接続する第１のバルブ、および排気マニホールド１４２に接続する第２のバルブを有する場合がある。図１ｂのデュアルマニホールドの実施形態では、充填マニホールド１４１に関連付けられるトランスデューサー１１５は、トランスデューサー１１５に直接関連付けられるか、または充填マニホールド１４１に関連付けられるかのいずれかである、別個のシャントバルブ（図示せず）により、大気圧に対して較正される場合がある。排気マニホールド１４２は、排気マニホールド内の圧力をモニターするために、それ自身のトランスデューサー１１５'とも関連付けられる場合がある。トランスデューサー１１５および１１５'は、センサーデータを制御部１４５にも提供する場合がある。
【００２８】
加えて、それぞれのバルブ１２５ａ〜Ｎは、それぞれのセルへの接続と同じ配管上で流量センサー１５０ａ〜Ｎと流体接続する場合がある。流量センサー１５０ａ〜Ｎは、センサーデータを制御部１４５にも提供する場合がある。例えば、流量センサー１５０ａ〜Ｎは、そのそれぞれのバルブ１２５ａ〜Ｎが全開になっていることをモニターするために使用される場合がある。バルブが閉塞しているかまたは他の方法で阻害されている場合、バルブを通る流体流は、制御部１４５によって決定される、予想される流量プロファイルと適合しない場合がある。流量センサー１５０ａ〜Ｎは、制御部１４５に接続されたバルブ１２５ａ〜Ｎの故障を示すデータを提供することができる。次いで、制御部１４５は、バルブの流れの故障状態をユーザーに通知するようにプログラムされる場合がある。追加的に、流量センサー１５０ａ〜Ｎは、特定のセル内への若しくは特定のセル内からの空気流速、または特定の時間期間にわたってセルの中へ送出した（またはセルから排気した）空気の総量を正確に決定するために使用される場合がある。流量センサー１５０ａ〜Ｎからのデータに基づいて、充填または排気する工程に必要な時間の量を制御するために、セルに対する充填／排気速度は、制御部１４５によって調節される場合がある。次いで、特定の療法プロトコルを開発する臨床医は、充填または排気時間をプロトコルの部分としてプログラムすることができる場合がある。流速および体積ではなく、かかる時間に基づくプログラミングは、臨床医にとって使用がより容易である場合がある。
【００２９】
追加的に、圧力センサー１５５ａ〜Ｎは、動作の間のセル内の流体圧力を測定するためにそれぞれのセルに関連付けられる場合がある。圧力センサー１５５ａ〜Ｎは、データを制御部１４５にも提供する場合があり、これにより制御部は、圧迫装置の動作を制御することができる場合がある。そのそれぞれのセルに関連付けられた圧力センサー１５５ａ〜Ｎは、セルの加圧プロファイルまたは減圧プロファイルの直接的な指示を提供する場合がある。代替的には、トランスデューサー１１５は、そのバルブ１２５ａ〜Ｎのそれぞれによって、共通マニホールド１４０と関連付けられた任意のセルの圧力を測定する場合がある。制御部１４５は、個々のセル圧力を予めプログラムされたセル圧力プロファイルと比較する場合がある。セルが予想される圧力を維持することができない場合、漏れ状態が決定される場合がある。その結果、制御部１４５は、ユーザーに漏れ状態を通知するようにプログラムされる場合がある。
【００３０】
図１ａは、バルブ１２５ａ〜Ｎとそのセルのそれぞれとの間の流量または圧力センサーのいずれかの使用を明示的に図示しないが、代替的な実施形態では、流量センサー、圧力センサー、または両方のタイプのセンサーが含まれてもよいことが理解される場合がある。同様に、図１ｂは、かかるセンサーの使用を図示するが、他の実施形態は、いずれか１つかまたはその両方のタイプのセンサーを有しない場合があることを理解するべきである。
【００３１】
空気式の圧迫装置を、様々な療法的プロトコルを提供するために動作する場合がある療法的プロトコルは、セルが患者と接触している間に１若しくはそれ以上のセルを膨張（充填）および収縮（排気）する動作の特定の順序として定義される場合がある。療法的プロトコルとしては、非限定的な例は、起動するセルの順序のリスト、それぞれのセルに対する膨張または収縮圧力測定値、セル膨張または収縮の間の時間の長さ、および順次的なセル起動の間の時間を含む場合がある。
【００３２】
療法的プロトコルの開始の前に、初期化順序を行う場合がある。初期化順序の一例では、充填バルブ１２０を閉止している場合があり、それによって圧迫ポンプ１０５をマニホールド（１４０または１４１のいずれか）から遮断しており、かつ排気バルブ１３０を大気１３５に開放している場合がある。次いで、セルバルブ１２５ａ〜Ｎを開放してもよく、それによってそれぞれのセルを共通マニホールド１４０または排気マニホールド１４２のいずれかと流体連通状態にしてもよい。代替的には、セルからの急速な排出を可能にするように、排気バルブ１３０を真空源１１０に開放してもよい。制御部１４５は、トランスデューサー１１５（共通マニホールド構成に対して）またはトランスデューサー１１５'（デュアルマニホールド構成に対して）から受信した情報に基づいて、最低圧力閾値に達したかどうかを決定する場合がある。制御部１４５は、セル特定の圧力センサー１５５ａ〜Ｎからセンサーデータを受信する場合もある。一実施形態では、最低圧力閾値に達したとき、制御部１４５は、排気バルブ１３０を閉鎖する動作コマンドを送信する場合がある。別の実施形態では、制御部１４５は、セルバルブ１２５ａ〜Ｎを閉鎖する動作コマンドも提供する場合がある。さらに別の実施形態では、制御部１４５は、療法的プロトコルを開始する場合がある。初期化順序は、セルが患者と接触している間に、セルを患者に付着する前に、またはプロトコルが完了した後に生じる場合があることが理解される場合がある。
【００３３】
プロトコルは、１若しくはそれ以上のセル充填段階を組み込む場合がある。かかる充填段階の非限定的な例としては、以下の動作順序を生じる場合がある。１若しくはそれ以上のセルバルブ１２５ａ〜Ｎを、充填バルブ１２０とともに開放する場合があり、それによって１若しくはそれ以上のセルは圧迫ポンプ１０５と流体連通することができる。共通マニホールド１４０を組み込んでいる一実施形態では、セルバルブ１２５ａ〜Ｎの１若しくはそれ以上を、共通マニホールドに開放する場合がある。独立した充填マニホールド１４１および排気マニホールド１４２を有している一実施形態では、セルが充填マニホールド１４１のみと連通するように、セルバルブ１２５ａ〜Ｎの１若しくはそれ以上を開放するように構成する場合がある。一実施形態では、患者の遠位部分に付着されるセルに接続される１２５ａなどのセルバルブは、膨張のためには、充填マニホールド１４１または共通マニホールド１４０に対して開放されても、または開放したままでもよいが、一方でより近位のセルに関連付けられたセルバルブは、そのマニホールドに対して閉鎖される。開放しているセルバルブ（例えば、１２５ａ）に接続されるセル（例えば、セルＡ）は、圧迫ポンプ１０５からの加圧流体に接続された結果として、膨張する場合がある。セル圧力は、特にそのセルに関連付けられトランスデューサー１１５および／または圧力センサー１５５ａを介して、制御部１４５によってモニターされる場合がある。
【００３４】
一実施形態では、トランスデューサー１１５によって感知される圧力の量は、特定のセルにおけるセル圧力とは異なる場合がある。例えば、トランスデューサー１１５とセルとの間で圧力損失が生じる場合がある。したがって、制御部１４５は、トランスデューサー１１５によって感知される圧力が、セルに対応するセルバルブ１２５ａ〜Ｎを閉鎖するのに適当である、閾値を決定するためにルックアップテーブルにアクセスする場合がある。
【００３５】
充填段階の別の実施形態では、開放している１２５ａなどのセルバルブは、対応するセルの充填速度を制御するように調整される場合がある。開放しているセルバルブは、時間および／または圧力に基づいて調整される場合がある。例えば、時間基準で調整されているセルバルブは、セルが膨張するのにともなって、第１の時間期間の間は開放し、かつ第２の時間期間の間は閉鎖している場合がある。あるいは、圧力基準で調整されているセルバルブは、セル圧力が上昇する間は開放し、膨張サイクルの時間期間の間は閉鎖している場合がある。圧力増加は、セルバルブを開放する前の初期セル圧力とセルバルブの開放にともなうセル圧力とを測定することによって決定される場合がある。初期セル圧力と膨張しているセル圧力との間の差が実質的に特定の値と等しくなったとき、セルバルブは閉鎖されてもよい。セルバルブが調整される点におけるデューティーサイクルは、任意の値であってもよく、ユーザーまたは臨床医によって特にプログラムされてもよい。制御部１４５は、セルバルブをいつ開放し、いつ閉鎖するかを決定する場合がある。圧力に基づく調整については、任意のトランスデューサー１１５またはセルの特定の圧力センサー１５５のうちの１若しくはそれ以上は、調整の間にセルバルブをいつ開放し、かつ／またはいつ閉鎖するかの決定を補助するために圧力データを制御部１４５に提供する場合がある。
【００３６】
調整は、所与のプロトコルに対して、セル圧力が早く増加しすぎないことを確認するために実施される場合がある。例えば、リンパ水腫患者は、セルを緩徐に膨張し、収縮することを要求するプロトコルを用いて治療される場合がある。あるいは、動脈性の患者は、迅速な膨張収縮サイクルの能力を有するプロトコルを必要とする場合がある。さらに、セルは、寸法が様々である場合がある。例えば、子ども用に設計された装置のセルは、大人用に設計された装置のセルよりも小さい場合がある。しかしながら、圧迫ポンプ１０５は、比較的一定の流量を有する場合がある。このように、調整は、セル膨張が適切な速度で実施されることを確認するために使用される場合がある。
【００３７】
代替的な実施形態では、１２５ａなどのセルバルブは、対応するセル内の圧力が増加する速度を制限するために使用される場合がある変更可能な開口を含む場合がある。１５０ａなどの流量センサーは、セル内への流体流量をモニターする場合がある。流量センサーからのデータは、制御部１４５へ提供される場合があり、これにより制御部は、セルバルブ内の開口を調節することができる場合がある。別の実施形態では、１２５ａなどのセルバルブは、一方向バルブを組み込む場合がある。例えば、バルブ１２５ａを開放してセルＡを共通マニホールド１４０または充填マニホールド１４１によって充填することができるようにし、次いで、バルブ１２５ｂを開放してセルＢを加圧できるようにした場合、バルブ１２５ａ内に組み込まれた一方向バルブは、バルブ１２５ｂが初期的には排出されているセルＢに開放されているときのセルＡの一時的な減圧を妨げる。別の代替的な実施形態では、変更可能な流量で動作する圧迫ポンプ１０５が使用される場合がある。圧力を調整するさらなる方法も実施される場合があり、これは本開示に基づいて当業者には明らかであろう。
【００３８】
セルが適当な圧力に達したとき、制御部１４５は、このセルに対応するセルバルブ１２５ａを閉鎖する場合がある。
【００３９】
プロトコルは、１若しくはそれ以上のセル排気段階も組み込む場合がある。かかる排気段階の非限定的な例として、以下の動作順序が行われる場合がある。１若しくはそれ以上のセルバルブ１２５ａ〜Ｎを、排気バルブ１３０とともに開放してもよく、それによって１若しくはそれ以上のセルを真空源１１０または大気１３５のいずれかと流体連通することができる。共通マニホールド１４０を組み込んでいる一実施形態では、セルバルブ１２５ａ〜Ｎの１若しくはそれ以上を、共通マニホールドに開放する場合がある。独立した充填マニホールド１４と排気マニホールド１４２とを有する一実施形態では、セルが排気マニホールド１４２のみと連通するように、１若しくはそれ以上のセルバルブ１２５ａ〜Ｎを開放するように構成される場合がある。一実施形態では、患者の遠位部分に付着されるセルに接続される１２５ａなどのセルバルブを、収縮のために、排気マニホールド１４２または共通マニホールド１４０に開放するまたは開放したままにする一方で、より近位のセルに関連付けられたセルバルブは、そのマニホールドに対して閉鎖する場合がある。開放しているセルバルブ（例えば、１２５ａ）に接続されるセル（例えば、セルＡ）は、真空源１１０または大気１３５に接続される結果として、収縮する場合がある。セル圧力は、共通マニホールド構成用のトランスデューサー１１５若しくは独立したマニホールド構成用のトランスデューサー１１５'、そのセルに特定して関連付けられ圧力センサー１５５ａ、また
はその両方を介して制御部１４５によってモニターされる場合がある。
【００４０】
一実施形態では、トランスデューサー１１５またはトランスデューサー１１５'によって感知された圧力の量が特定のセルにおけるセル圧力とは異なる場合がある。例えば、トランスデューサー１１５（または１１５'）とセルとの間で、圧力損失が生じる場合がある。したがって、制御部１４５は、トランスデューサー１１５（または１１５'）によって感知される圧力がそのセルに対応するセルバルブ１２５ａ〜Ｎを閉鎖するのに適当である、閾値を決定するためにルックアップテーブルにアクセスする場合がある。
【００４１】
排気段階の別の実施形態では、１２５ａなどの開放しているセルバルブは、対応するセルの排気速度を制御するために調整される場合がある。開放しているセルバルブは、時間および／または圧力に基づいて調整される場合がある。例えば、時間基準で調整されているセルバルブは、セルが収縮するのにともなって、第１の時間期間の間は開放し、かつ第２の時間期間の間は閉鎖している場合がある。あるいは、圧力基準で調整されているセルバルブは、セル圧力が減少している間は開放し、排気サイクルの間の時間期間は閉鎖している場合がある。圧力減少は、セルバルブを開放する前の初期セル圧力と、セルバルブの開放にともなう収縮したセル圧力とを測定することによって決定される場合がある。初期セル圧力とこのセル圧力との間の差が実質的に特定の値と等しいとき、セルバルブは閉鎖されてもよい。セルバルブが調整される点におけるデューティーサイクルは、任意の値であってもよく、ユーザーまたは臨床医によって特にプログラムされてもよい。制御部１４５は、セルバルブをいつ開放し、いつ閉鎖するかを決定する場合がある。圧力に基づく調整については、トランスデューサー１１５、１１５'、またはセルに特定の圧力センサー１５５ａ〜Ｎのうちの任意の１若しくはそれ以上は、調整の間にセルバルブをいつ開放し、いつ閉鎖するかの決定を補助するために、圧力データを制御部１４５に対して提供する場合がある。
【００４２】
調整は、逆勾配を生じる可能性がある、セル圧力の過度に急激な減少を起こさないことを確認するために実施されてもよい。さらに、セルは、寸法が様々である場合がある。例えば、子ども用に設計された装置のセルは、大人用に設計された装置のセルよりも小さい場合がある。しかしながら、真空源１１０は、比較的一定の流量を有する場合があり、かつ大気１３５への換気は、無制限な、受動的排気により生じる場合がある。このように、調整は、セル収縮が適切な速度で実施されることを確認するために使用される場合がある。
【００４３】
代替的な実施形態では、１２５ａなどのセルバルブは、対応するセル内の圧力が減少する速度を制限するために使用される場合がある変更可能な開口を含む場合がある。１５０ａなどの流量センサーは、セル内への流体流量をモニターする場合がある。流量センサーからのデータは、制御部１４５へ提供される場合があり、これにより制御部は、セルバルブ内の開口を調節することができる場合がある。別の実施形態では、１２５ａなどのセルバルブは、一方向バルブを組み込む場合がある。例えば、バルブ１２５ａを開放してセルＡを排気マニホールド１４２によって排出することができるようにし、次いで、バルブ１２５ｂを開放してセルＢを排出することができるようにした場合、バルブ１２５ａ内に組み込まれた一方向バルブは、バルブ１２５ｂが以前は加圧されていたセルＢに開放されているときのセルＡの一時的な再加圧を妨げる。別の代替的な実施形態では、変更可能な流量で動作する真空源１１０が使用される場合がある。圧力を調整するさらなる方法も実施されてもよく、これは本開示に基づいて当業者には明らかであろう。
【００４４】
セルが適当な圧力に達したとき、制御部１４５は、このセルに対応するセルバルブ１２５ａを閉鎖してもよい。
【００４５】
療法的プロトコルは、セルの膨張工程および収縮工程の任意の様々な順序によって構成される場合があることが理解される場合がある。セルは、特定の順番で膨張および収縮してもよく、かつ複数のセルは、同調性の様式で、または互い違いの様式で膨張または収縮してもよい。セルは、特定の量の時間の間、特定の膨張圧力または収縮圧力で保持される場合がある。加えて、特定のプロトコルは、繰返しの間にある程度の遅延時間を有して繰り返される場合がある。あるいは、第１のプロトコルには、第２のプロトコルおよび異なるプロトコルが続く場合がある。
【００４６】
プロトコルの一実施形態では、複数のセルバルブ１２５ａ〜Ｎは、それぞれの複数のセルを同時に膨張するように、同時に開放する場合がある。それぞれのセルの圧力が対応する閾値を上回ると、制御部１４５は、セルに対するセルバルブ１２５ａ〜Ｎを閉鎖する場合がある。すべてのセルに対する圧力閾値は、同一であってもよく、異なっていてもよい。例えば、患者の遠位位置におけるセルに対する圧力閾値は、より近位に位置付けられるセルより高い場合がある。結果として、圧力勾配は、セルによって遠位点におけるより高い圧力から、近位点におけるより低い圧力へと展開する場合がある。次いで、セルは、これらがすべて周囲の圧力に達するまで同時に収縮する場合がある。代替的には、選択されたセルのみが収縮する場合がある。
【００４７】
プロトコルの別の実施形態では、セルが収縮するときに、セルバルブ１２５ａ〜Ｎは、同時には開放しない場合があり、そうではなく互い違いの様式で開放する場合がある。共通マニホールド構成に基づく一実施形態では、充填バルブ１２０は閉鎖している場合があり、かつ排気バルブ１３０は真空源１１０または大気１３５のいずれかに開放している場合がある。１２５ａなどの第１のセルバルブは、対応するセル内の圧力を放出するように開放している場合がある。約１秒などの短い時間期間が経過した後、１２５ｂなどの第２のセルバルブは、対応するセル内の圧力を放出するように開放している場合がある。このプロセスは、それぞれのセルバルブ１２５ａ〜Ｎが開放されるまで繰り返される場合がある。
【００４８】
調整を使用するプロトコルの一実施形態では、複数のセルバルブ１２５ａ〜Ｎは、同時に調整される場合がある。調整スケジュールに従って、任意の所与の時間に、１若しくはそれ以上のセルバルブは、開放していてもよく、かつ／または閉鎖していてもよい。例えば、５０％のデューティーサイクルを有する時間に基づく調整スキームについては、任意の時間において、セルバルブ１２５ａ〜Ｎのうちの半分は開放している場合があり、セルバルブのうちの半分は閉鎖している場合がある。
【００４９】
図２は、圧迫療法プロトコルの部分として使用されてもよい、圧迫スリーブ２００の実施形態を図示する。図示されるスリーブ２００は、足／ふくらはぎ／大腿部の圧迫療法のために使用されてもよいが、手／手首／前腕部／上腕部／肩部、またはかかる療法が推奨される場合がある他の身体部位の類似の療法に同等の装置が使用されてもよいことが理解される。圧迫スリーブ２００は、スリーブの範囲に沿って配置される場合がある１若しくはそれ以上の個別に膨張可能な圧迫セル２１０を含んでもよい。圧迫セル２１０は、環状（身体部位の軸周りの）、縦型（身体部位の軸に沿った）、およびまくら型を含むがこれに限定されない、様々な幾何学的形状のうちのいずれかを有する場合がある。圧迫セル２１０は、制御部１４５によって、空気などの流体を用いて膨張する場合がある。代替的には、セル２１０内の流体は、制御部１４５によって、真空システムの使用を通して能動的に排出されてもよく、または空気は、制御部によって制御下でセルから受動的に放出（収縮）されてもよい。セル２１０は、制御部１４５によって実行されるプロトコルに従って、協調してまたは個別に、膨張され、収縮され、または排出される場合がある。
【００５０】
図３は、制御部１４５に対するプログラム命令を収容または実施するために使用される場合があるハードウエアの一実施形態のブロック図である。後述するハードウエアのうちのいくつかまたはすべては、制御部１４５内に組み込まれてもよい。図３を参照すると、バス３２８は、ハードウエアのうちのその他の図示される構成要素を相互接続する主情報ハイウェイとして機能する場合がある。中央演算処理装置（Ｃｅｎｔｒａｌ  Ｐｒｏｃｅｓｓｉｎｇ  Ｕｎｉｔ：ＣＰＵ）３０２は、プログラムを実行するために必要とされる計算および論理演算を実施する、このシステムの中央演算処理装置である。読み出し専用メモリ−装置（Ｒｅａｄ  Ｏｎｌｙ  Ｍｅｍｏｒｙ：ＲＯＭ）３１８は、静的メモリー装置または非一時的メモリー装置の一例であり、ランダムアクセスメモリー（Ｒａｎｄｏｍ  Ａｃｃｅｓｓ  Ｍｅｍｏｒｙ：ＲＡＭ）３２０は、一時的メモリー装置または動的メモリー装置の一例である。
【００５１】
制御部３０４は、１若しくはそれ以上の任意選択的なディスクドライブ３０８を有して、システムバス３２８とインタフェース接続する場合がある。これらのディスクドライブは、例えば、外付けまたは内蔵ＤＶＤドライブ、ＣＤ  ＲＯＭ
ドライブ、またはハードドライブを含む場合がある。
【００５２】
プログラム命令は、ＲＯＭ３１８および／またはＲＡＭ３２０内に格納される場合がある。任意選択的に、プログラム命令は、コンパク卜ディスク若しくはデジタルディスク、または他の記録媒体、通信信号、または搬送波などのコンピューター可読媒体上に格納される場合がある。追加的に、動作的な療法データは、非限定的な例として、取り外し可能なディスク、取り外し可能なカード、取り外し可能なメモリースティック、フラッシュドライブ、取り外し可能なＳＩＭチップ、書き込み可能なＣＤ−ＲＯＭ若しくはＤＶＤディスク、および／またはミニチュアデータテープを含んでもよい、取り外し可能なメモリー装置３３０上に格納される場合がある。かかる装置は、制御部からホームコンピューターなどの別のデータを受容する装置へデータを転送するために使用される場合がある。
【００５３】
任意選択的なディスプレイインタフェース３２２は、音声、画像、または英数字フォーマットでディスプレイ３２４上に表示されるバス３２８からの情報を容認する場合がある。追加的な出力インタフェース装置は、プリンター、バーコードプリンター、ＬＣＤパネル装置、タッチスクリーン装置、オーディオ装置、ＬＥＤパネル、ＯＬＥＤパネル装置、１若しくはそれ以上の個別のＬＥＤ、別個のディスプレイまたは一緒にグループ化したディスプレイのいずれか、および触覚装置を含む場合がある。外部装置との通信は、様々な通信ポート３２６を使用して行われる場合がある。例えば、充填バルブ１２０、排気バルブ１３０、および／またはセルバルブ１２５ａ〜Ｎとの通信は、１若しくはそれ以上の通信ポート３２６を介して行われる場合がある。制御部１４５は、それらのそれぞれの動作を指示するために、通信ポート３２６を通してバルブ１２０、１３０、および１２５ａ〜Ｎにコマンドデータを提供する場合もある。
【００５４】
上記に開示した構成要素に加えて、ハードウエアは、キーボード３１４、またはタッチスクリーン、マウス、リモートコントロール、ポインディングデバイス、押しボタン、触覚装置、音声認識装置、近接センサー、動き検出センサー、多軸加速度計、方向パッド、および／またはジョイスティックなどの他の入力装置３１６などの入力装置からのデータの受容を可能にするインタフェース３１２も含んでもよい。加えて、トランスデューサー１１５および１１５'、圧力センサー１５５ａ〜Ｎ、流量センサー１５０ａ〜Ｎ、加えてセルの形状若しくは体積、セル若しくはスリーブの温度の変化に関係するデータを通信するセンサー、またはスリーブ内に挿入した身体部位に関連付けられたパルスを検出するセンサーは、インタフェース３１２を通してバス３２８へセンサー入力３１５を通信する場合がある。
【００５５】
一実施形態では、制御部１４５は、それぞれのセルに特定された設定を格納および／または決定する場合がある。例えば、制御部１４５は、それぞれのセルに対して１若しくはそれ以上の圧力閾値を決定する場合がある。さらに、制御部１４５は、システム上の要件を強要することによって空気式の圧迫装置が不適切に使用されるのを避ける場合がある。例えば、制御部１４５は、ある療法的プロトコルでは、遠位のセルは近位のセルより高い圧力閾値を有するように要求されるようにプログラムされる場合がある。制御部は、ユーザーインタフェースを介してユーザーから受信したかかる圧力閾値の要件に適合しない命令を無視する場合がある。一実施形態では、１若しくはそれ以上のセルの圧力閾値は、圧力閾値の制約に適合するように調節される場合がある。
【００５６】
さらなる実施形態では、制御部１４５は、圧迫装置のユーザーに、ユーザーが様々な療法的プロトコルを患者に対して提供するために制御部をプログラムすることを容認するようにインタフェースを提供する場合がある。インタフェースは、フラットパネルディスプレイなどの制御ディスプレイ上に表示される場合がある。マウス、キーパッド、またはスタイラスなどの入力装置は、ユーザーによって、特定の療法的プロトコルを定義するためのデータを提供するように使用される場合がある。加えて、制御部からのデータを、コンピューター、携帯電話、またはワイヤレスホットスポットなどの受信ユニットに送ってもよいことを示すために、ユーザーによって押しボタン装置を起動することができる。制御部は、将来の使用のために、プロトコルをメモリーまたはディスク装置上に記録する場合がある。制御部の一実施形態では、特定の患者のために選択するための、以前に格納された療法的プロトコルのリストがユーザーに示される場合がある。別の実施形態では、ユーザーは、患者のための療法的プロトコルを、必要に応じた基準で定義する場合がある。別の実施形態では、ユーザーは、格納されているプロトコルを選び、これを修正する場合がある。
【００５７】
加えて、プロトコルを格納するために、制御部１４５は、特定の療法セッションの間に得たセンサーの読取値も記録する場合がある。かかるセンサーは、圧力センサー、タイミングセンサー、流体流量センサー、温度センサー、膨張可能セル材料変形センサー、およびその他を含む場合がある。センサーの読取値は、非限定的に、センサー読取値が得られた時間、セル圧力、セル体積、セル膨張データ、空気または真空空気流量値、および／またはスリーブまたは圧迫装置の内側から取られた温度を含む場合がある。制御部は、血圧、心電図（Ｅｌｅｋｔｒｏｋａｒｄｉｏｇｒａｍｍ：ＥＫＧ）、または療法的なセッションの間に測定された血液酸素飽和度、加えてセッションの日付と時間などの患者に関係するデータも記録する場合がある。制御部は、ユーザーによって入力される療法の注記も記録する場合がある。
【００５８】
図３には図示しないが、制御部１４５は、ワイヤレスローカルエリアネットワーク、局所化パーソナルエリアネットワーク（Ｂｌｕｅｔｏｏｔｈ（登録商標）接続、またはＺｉｇＢｅｅ（登録商標）接続などの）、または電話装置へのいくつかの通信インタフェースも含む場合がある。かかる通信装置は、非限定的に、コンピューティング装置に接続されるイーサネット（登録商標）接続装置、コンピューティング装置に接続される赤外線接続装置、およびコンピューティング装置に接続されるシリアル接続装置を含む場合がある。電話装置は、非限定的に、携帯電話、固定電話、音声モデム、ＴＲｘ装置、ファックス機、および電話技術に基づく他の通信装置を含む場合がある。かかる通信インタフェースは、性能データまたは患者コンプライアンスデータを得るために、臨床医によって遠隔で制御部をモニターできるようにする場合がある。かかる通信インタフェースは、遠隔の臨床医が制御部をプログラムすることもできるようにする場合がある。一実施形態では、携帯電話は、再プログラミングを容易にすることができるようにするためのユーザーフレンドリーなプログラミングインタフェースをもたらす場合があるアプリケーションを有する場合がある。代替的には、遠隔のコンピューターは、プログラミング、データ評価、および／または解析のためのウェブ対応ディスプレイを表示する場合がある。
【００５９】
図４は、圧迫療法を受ける身体部位の寸法を測定するための方法の一実施形態のフローチャートを開示する。上記に実質的に開示するように、例えば、患者に対して圧迫療法装置が提供される場合がある（４１０）。圧迫療法装置は、１若しくはそれ以上の個別に膨張可能な圧迫セルを有する膨張可能な圧迫スリーブと、スリーブまたはセルを膨張するためのガスなどの流体源と、スリーブおよび／またはスリーブを有する個々のセルの膨張および収縮を制御するための制御部ユニットとを含む場合がある。制御部は、スリーブに関連付けられた１若しくはそれ以上のセンサーと、スリーブ用の膨張および収縮装置に関連付けられたセンサーと、少なくとも１つの非一時的なメモリー装置と、少なくとも１つの通信装置とを含んでもよい。制御部は、ユーザー入力装置も含んでもよい。
【００６０】
身体部位測定を行う前に、制御部は、流体（空気などの）をスリーブまたはセル４１５から排出する場合がある。圧迫セルの物理的状態に関係する１若しくはそれ以上の圧迫セルパラメーターは、圧迫セル（１つまたは複数）に機能的に連通する１若しくはそれ以上のセンサーによって測定される場合がある。１若しくはそれ以上のセンサーは、非限定的に、１若しくはそれ以上の圧迫セル内の圧力を測定するためのセンサー、１若しくはそれ以上のセルに入る、またはこれらから出る流体流量のセンサー、および１若しくはそれ以上のセルの表面を提供する材料の変形を測定するためのセンサーを含む場合がある。かかる変形センサーは、非限定的な例として、セルの表面上に固定された歪みセンサーを含む場合がある。圧迫セルパラメーターは、非限定的に、セル圧力、セル体積、およびセル表面の変形の１若しくはそれ以上を含む場合がある。圧迫セルは、これらのパラメーターの１若しくはそれ以上についてモニターされる場合がある。圧迫セルは、それぞれのセルに関連付けられた圧迫セルパラメーターが１若しくはそれ以上の開始圧迫セルパラメーター値に到達するまで排出する場合がある。１若しくはそれ以上の開始圧迫セルパラメーター値は、ＲＡＭ、ＲＯＭ、ディスクドライブ、または取り外し可能なメモリー装置内などの任意の１若しくはそれ以上のメモリー場所の制御部内に格納される場合がある。代替的には、療法士、医師、または看護師などの医療供給者は、ユーザー入力装置を通して、またはワイヤレス装置または携帯電話を通すなどの通信ポートのいずれかを介して、１若しくはそれ以上の開始値を用いて制御部をプログラムする場合がある。
【００６１】
図２に図示されるように、スリーブは、１若しくはそれ以上の個別に膨張可能な圧迫セルを含む場合がある。任意の１つのセルの開始圧迫セルパラメーター値は、任意の他のセルの開始圧迫セルパラメーター値と本質的に同一である場合があり、または異なる場合があることを理解するべきである。さらに、異なるセルが、異なるパラメーターに対してモニターされる場合がある。したがって、初期セルの排出工程の間に、１つの圧迫セルで圧力がモニターされる場合があり、その間に第２のセルで表面変形または歪みがモニターされる場合がある。追加的に、圧力などの同一のパラメーターに対していくつかのセルがモニターされる場合があるが、開始パラメーター値はセルとセルとの間で異なる場合がある。１つの非限定的な例として、開始圧迫セルパラメーター値は、大気圧に対して約−２０ｍｍＨｇ、約−４０ｍｍＨｇ、約−６０ｍｍＨｇ、約−８０ｍｍＨｇ、またはそれらの間の任意の値の圧力であってもよい。
【００６２】
スリーブが排出され、これによりスリーブまたは圧迫セルが開始圧迫セルパラメーターに到達した後、次いで患者は、測定プロセス４２０の開始に先立って、身体部位（１つまたは複数）をスリーブ内に導入する場合がある。上記に開示するように、圧迫療法の性質に応じて、１若しくはそれ以上の患者の身体部位をスリーブ内に導入する場合がある。したがって、身体部位は、指、手、手首、前腕部、上腕部、肩部、胸部、腹部、鼠径部、股関節部、臀部、大腿部、下腿部、ふくらはぎ、足首、足、または足指のうちの１若しくはそれ以上を含む場合がある。一実施形態では、圧迫スリーブと制御部とは一緒に、患者が本人の身体部位をスリーブの中に適切に導入したかどうか、および療法のための正しい適合に対してスリーブが適切に調節されたかどうかを確認するために、センサーと方法とを組み込む場合がある。
【００６３】
一旦スリーブが身体部位の周りに適切に定置されると、少なくとも１つの制御部パラメーターが予め設定したパラメーター値４２５に到達するまで、制御部は、膨張流体（空気などの）を用いたスリーブまたは圧迫セルの膨張を制御する場合がある。この予め設定した値は、この膨張工程の終点を提示する場合がある。制御部パラメーターは、制御部またはスリーブ性能の少なくとも１つの態様を定義する場合がある任意の因子を含む場合がある。制御部パラメーターは、非限定的に、圧迫セル膨張時間、圧迫セル膨張速度、圧迫セル圧力、圧迫セル膨張体積、または圧迫セル表面変形を含む場合がある。
【００６４】
１つの非限定的な例として、制御部は、圧迫セルを特定の膨張速度で予め設定した時間期間の間膨張する場合がある。予め設定した時間の例は、非限定的に、約２０秒、約３０秒、約４０秒、約５０秒、約１分、またはこれらの値のうちの任意の２つの間の時間を含む場合がある。別の非限定的な例では、制御部は、セルが予め設定した圧力に到達するまで、圧迫セルを特定の膨張速度で膨張する場合がある。予め設定した圧力の例は、非限定的に、約１０ｍｍＨｇ大気圧より高い、約２０ｍｍＨｇ大気圧より高い、約３０ｍｍＨｇ大気圧より高い、約４５ｍｍＨｇ大気圧より高い、約６０ｍｍＨｇ大気圧より高い、またはこれらの値のうちの任意の２つの間の圧力を含む場合がある。さらに別の非限定的な例では、制御部は、セルの被覆が予め設定した歪み値に到達するまで、膨張速度を第１の値から第２の値へ徐々に変化する場合がある。
【００６５】
複数の圧迫セルを、同期的または非同期的のいずれかによって膨張する場合があり、かつ膨張プロセスを停止する条件はセルによって異なる場合があることが理解される場合がある。例えば、１つのセルを予め設定した圧力に到達するまで膨張する場合があり、一方で第２のセルをある設定した時間期間の間膨張する場合がある。追加的に、複数のセルを圧力などの同一の制御部パラメーターに基づいて膨張する場合があるが、予め設定した制御部パラメーター値はセルによって異なる場合がある。１つの非限定的な例として、１つのセルを、約３０ｍｍＨｇ大気圧より高い圧力に到達するまで膨張する場合がある一方で、第２のセルを約２０ｍｍＨｇの圧力に到達するまで膨張する場合がある。１若しくはそれ以上の予め設定した制御部パラメーター値は、制御部内で、ＲＡＭ、ＲＯＭ、ディスクドライブ、または取り外し可能なメモリー装置などの任意の１若しくはそれ以上のメモリー場所内に格納される場合がある。代替的には、療法士、医師、または看護師などの医療供給者は、ユーザー入力装置を通して、またはワイヤレス装置または携帯電話を通すなどの通信ポートのいずれかを介して、１若しくはそれ以上の予め設定した制御部値を用いて制御部をプログラムする場合がある。
【００６６】
圧迫セルパラメーターは、それぞれのセルに対する圧迫セルパラメーター値４３０を提供するためにそれぞれの圧迫セルに対して測定される場合がある。かかる測定は、膨張工程の前に、間に、および／または後になされる場合がある。１若しくはそれ以上の膨張した圧迫セルに対する圧迫セルパラメーター値の単一の測定が行われる場合がある。代替的には、圧迫セルパラメーター測定は、膨張工程が生じる間の時間期間にわたってなされてもよい。圧迫セルパラメーターの非限定的な例は、圧迫セル内の圧力、圧迫セルの体積、および圧迫セルの変形測定を含む場合がある。
【００６７】
一旦制御部が１若しくはそれ以上の圧迫セルパラメーター値を測定すると、次いで制御部は、スリーブ４３５内に挿入した身体部位の寸法を計算する場合がある。１つの非限定的な例では、体積測定は、一定の膨張時間後に１若しくはそれ以上のセル内で到達する最終的な圧力に少なくとも部分的に基づく場合がある。別の非限定的な例では、体積は、１若しくはそれ以上の圧迫セルが一定の圧力に到達するために必要な時間に少なくとも部分的に基づく場合がある。さらに別の非限定的な例では、身体部位の寸法は、一定の膨張時間後の１若しくはそれ以上のセルの体積に少なくとも部分的に基づいて決定される場合がある。なお別の非限定的な例では、身体部位の寸法は、セルが特定されたセル表面歪み値まで膨張するために必要な時間に少なくとも部分的に基づいて決定される場合がある。１若しくはそれ以上の圧迫セルパラメーターの値が、スリーブ内に挿入された身体部位の寸法の決定に使用される場合があることが理解される場合がある。単一の圧迫セルに隣接する「局所」の身体部位寸法が決定される場合があることも理解される場合がある。代替的には、すべてのセルの、またはセルの一部の部分集合を一緒にした圧迫セルパラメーターに少なくとも部分的に基づいて、身体部位全体を測定する場合がある。
【００６８】
身体部位寸法は、組織の体積としてまたは組織の周長として、制御部によって、いくつもの方法のうちのいずれかに従って計算される場合がある。１つの非限定的な例では、制御部は、測定した圧迫セルパラメーター値を比較する場合がある、値のルックアップテーブルを有する場合がある。ルックアップテーブルは、測定した多数の患者の身体部位の平均値に基づく場合がある。代替的には、ルックアップテーブル値は、四肢の木またはゴムのモデルなどの標準化された物理的モデルに基づく場合がある。さらに別の実施形態では、ルックアップテーブルは、療法中の身体部位（１つまたは複数）の数学モデルに基づいて値を有する場合がある。ルックアップテーブルは、小、中、大、または特大スリーブなどのスリーブの寸法に基づく記載項目も有する場合がある。ルックアップテーブルは、スリーブ内に挿入することができる身体部位の長さまたは体積によるなどのスリーブ寸法に基づく記載項目を有する場合がある。テーブル値は、小児、青少年、および大人のサイズに関してスリーブを分類する場合もある。測定した圧迫セルパラメーターは、ルックアップテーブルによって明示的に提供されない値を有する場合があることが理解される場合がある。次いで、制御部は、身体部位寸法をルックアップテーブルに提供された値に基づいて計算するために、標準的な内挿技法を使用する場合がある。
【００６９】
制御部は、療法中の身体部位の数学モデルに従って、１若しくはそれ以上の圧迫セルパラメーター値に基づいて、身体部位体積または周長を計算する場合もある。
【００７０】
一実施形態では、ルックアップテーブル、または数学モデルは、制御部内のメモリー場所に格納される場合がある。１若しくはそれ以上のルックアップテーブルまたは数学モデル値は、ＲＡＭ、ＲＯＭ、ディスクドライブ、または取り外し可能なメモリー装置内などの、任意の１若しくはそれ以上のメモリー場所の中の制御部に格納される場合がある。別の実施形態では、療法士、医師、または看護師などの医療供給者は、１若しくはそれ以上のルックアップテーブルまたは数学モデル値を用いて、ワイヤレス装置または携帯電話を通すなどのように、ユーザー入力装置を通してまたは通信ポートを介してのいずれかで、制御部をプログラムする場合がある。さらに別の実施形態では、ルックアップテーブルまたは数学モデル値は、スリーブ自体の中に収容されるメモリー構成要素内にプログラムされる場合がある。かかるメモリー構成要素（非限定的な例としては、ＲＯＭ、フラッシュドライブ、および／またはＲＦＩＤアクティブメモリー装置）は、直接電気データ回線、光ファイバ回線、シリアル通信回線、および／またはパラレル通信回線を含むがこれに限定されない、電子的な接続を通して制御部の電子機器にアクセス可能な場合がある。別の実施形態では、制御部は、ＲＦ通信接続、および／またはＩＲ通信接続を非限定的に含む場合がある、ワイヤレス接続上でメモリー構成要素にアクセスする場合がある。
【００７１】
上記に開示するように、一実施形態では、圧迫スリーブ内に定置された身体部位の体積または周長は、スリーブ内のセルを既知の状態まで排出し、制御部パラメーターが第１の設定値に到達するまでスリーブを膨張し、スリーブに関係するパラメーターを測定することによって測定される場合がある。別の実施形態では、１若しくはそれ以上の圧迫セルは、第１の設定パラメーター値(１つまたは複数)によって特徴付けられる加圧された状態から、これらが第２の設定パラメーター値(１つまたは複数)に到達するまで排出または収縮される場合がある。次いで、圧迫セルパラメーターを、排出または収縮工程の前に、間に、および／または後に測定する場合があり、その結果、この値を、身体部位の寸法を計算するために少なくとも部分的に使用する場合がある。例えば、第１の設定パラメーターは、一定の膨張時間である場合があり、かつ第２の設定パラメーターは、一定の収縮時間である場合がある。代替的には、第２の設定パラメーターは、第１の設定パラメーターとは異なる場合がある。非限定的な例では、第１の設定パラメーターは、一定の圧迫セル圧力である場合があり、一方で第２のパラメーターは、一定の排出時間である場合がある。収縮工程の部分として測定された圧迫セルパラメーターは、膨張工程の部分として測定された圧迫セルパラメーターと同一であってもよく、または異なっていてもよい。したがって、非限定的な例として、１若しくはそれ以上の圧迫セルの体積を、膨張工程の後に測定する場合があり、一方で圧迫セル表面上の歪みを、１若しくはそれ以上の圧迫セルに対して収縮工程後に測定する場合がある。追加的に、収縮工程の後で、１つの圧迫セルに対して測定した圧迫セルパラメーターは、第２の圧迫セルに対して測定したセルパラメーターと同一であってもよく、または異なってもよいことが理解される。
【００７２】
排出速度または排出時間は、真空ポンプなどの排出装置の動力下での１若しくはそれ以上の圧迫セルからの空気の排出速度または空気の排出時間を参照する場合があることが理解される場合がある。したがって、排出は、セルから空気を除去する能動的なプロセス（ゼロ次プロセス）を有する場合がある。対照的に収縮は、大気圧とセル圧力との間の圧力差の力の下で空気が１若しくはそれ以上の圧迫セルを離れていく、受動的プロセス（１次プロセス）を有する場合がある。したがって、上記に収縮工程が開示されているが、この工程は、収縮ではなく排出を組み込む場合があることを理解するべきである。１若しくはそれ以上の圧迫セルが開始圧迫セルパラメーター値に到達するまでスリーブおよび／またはセルを排出する初期工程は、スリーブおよび／またはセルを収縮する初期工程で置き換えられる場合があることも理解される場合がある。さらに、個々のセルを、この初期工程の間に、収縮する場合があり、または排出する場合がある。
【００７３】
代替的な実施形態では、１若しくはそれ以上の圧迫セルは、第１の設定パラメーター値（１つまたは複数）によって特徴付けられる第１の加圧状態から、これらが第２の設定パラメーター値（１つまたは複数）に到達するまで第２の加圧状態へと膨張される場合がある。次いで、圧迫セルパラメーターを、第２の膨張工程の前に、間に、および／または後に測定する場合があり、その結果これらの値を、身体部位の寸法を計算するために、少なくとも部分的に使用する場合がある。例えば、第１の設定パラメーターは、第１の一定の膨張時間である場合があり、第２の設定パラメーターは、第２の一定の膨張時間である場合がある。代替的には、第２の設定パラメーターは、第１の設定パラメーターとは異なる場合がある。非限定的な例では、第１の設定パラメーターは、一定の圧迫セル圧力である場合があるが、一方で第２のパラメーターは、一定の膨張時間である場合がある。第２の膨張工程の部分として測定される圧迫セルパラメーターは、第１の膨張工程の部分として測定される圧迫セルパラメーターと、同一であってもよく、または異なっていてもよい。したがって、非限定的な例として、１若しくはそれ以上の圧迫セル体積を、第１の膨張工程の後に測定する場合があるが、一方で、圧迫セルの表面上の歪みを、１若しくはそれ以上の圧迫セルに対して、第２の膨張工程の後に測定する場合がある。追加的に、１つの圧迫セルに対して測定された圧迫セルパラメーターは、第２の圧迫セルに対して第２の膨張工程の後に測定されたセルパラメーターと、同一であってもよく、または異なっていてもよいことが理解される。
【００７４】
上記に開示するように、１若しくはそれ以上の身体部位の体積または周長の測定は、任意の数の、１つの既知のスリーブおよび／または圧迫セル状態から別の状態への、膨張およびまたは収縮／排出工程から得られる圧迫セルパラメーター値に基づいて計算される場合があることが理解される場合がある。かかる複数の工程は、身体部位測定に対するより高い統計的精度および精密さを得るために使用される場合がある。例えば、圧迫セルは、第１の既知の状態から第２の既知の状態へ膨張する場合があり、その間に第１の組のセルパラメーターを測定する場合があり、セルは第１の状態に収縮／排出する場合があり、次いで、第２の状態に戻るように再膨張し、その間に同一の第１の組のセルパラメーターを測定する場合がある。この一連の膨張工程および収縮／排出工程は、平均セルパラメーター値を得るために複数の回数実施される場合がある。代替的には、セルを、第１の状態から第２の状態へ膨張し、同時に第１の組のパラメーターを測定し、第１の状態へ収縮／排出し、次いで、第２の状態へ再膨張し、同時に第２の組のパラメーターを測定する場合がある。かかる方法は、第１の計算された身体部位寸法と第２の計算された身体部位寸法との間の一貫性チェックを可能にする場合がある。
【００７５】
１若しくはそれ以上の第２の設定パラメーター値に関連付けられた値は、制御部内のメモリー場所に格納される場合がある。１若しくはそれ以上の第２の設定パラメーター値は、制御部内で、ＲＡＭ、ＲＯＭ、ディスクドライブ、または取り外し可能なメモリー装置などの任意の１若しくはそれ以上のメモリー場所に格納される場合がある。代替的には、療法士、医師、または看護師などの医療供給者は、ユーザー入力装置を通して、またはワイヤレス装置または携帯電話を通すなどの通信ポートのいずれかを介して、第２の設定パラメーター値を用いて制御部をプログラムする場合がある。
【００７６】
四肢の寸法を決定するためのセルパラメーターの測定は、療法的プロトコルが開始される前の、その間の、および／またはその後の任意の時間になされる場合があることが理解される場合がある。例えば、一旦スリーブおよび１若しくはそれ以上の圧迫セルが、開始圧迫セルパラメーター値（１つまたは複数）まで排出された場合、１若しくはそれ以上のセルを、予め設定した制御部条件まで膨張し、そして療法の開始前にセルパラメーター値を測定する場合がある。その後、療法が開始されてもよい。療法の間の任意の時間に、セルを、１若しくはそれ以上の予め設定した制御部条件まで膨張または収縮してもよく、かつセルパラメーター値を測定する場合がある。このようにして、療法の間に身体部位を評価する場合がある。次いで、療法に起因して四肢の寸法に何らかの変化があったかどうかを決定するために、類似のプロセス（制御部条件を設定するために１若しくはそれ以上のセルの膨張または収縮する）を、療法セッションの終了時に使用してもよい。
【００７７】
上記に開示された方法は、測定した圧迫セル値を分析するために使用される技法に従って、身体部位体積、周長、または表面積のいずれかを測定するために使用される場合があることがさらに理解される場合がある。身体部位全体または身体部位のいくつかの区分のみの体積、周長、および／または表面積は、それらのパラメーター値の測定方法および分析に使用されるセルの数に従って測定される場合があることも理解される場合がある。
【００７８】
上記に開示のおよび他の特徴ならびに機能、またはそれらの代替物は、所望により多くの他の異なるシステムまたは応用へと組み合わせられる場合があることが理解されるであろう。様々なその中の、現在のところ予期できないまたは予想できない代替物、修正、変形、または改善が、当業者によって引き続いてなされる場合があり、これらもまた以下の特許請求の範囲に包含されることが意図されることが、理解されるであろう。
【図１ａ】
2015528335.tif 000003
【図１ｂ】
2015528335.tif 000004
【図２】
2015528335.tif 000005
【図３】
2015528335.tif 000006
【図４】
2015528335.tif 000007
【国際調査報告】
2015528335.tif 000008